(57)【要約】      （修正有）【課題】外部からの力を受けても止水作用を有する球体が正確に位置決めされ、確実に水漏れを防ぐことのできるペット用水飲み器を提供する。【解決手段】中空で、かつ傾斜して設ける管体１０の一端に取付ヘッド部１１を設け、他端に球体１３を内設したスリーブ１２を設けてなるペット用水飲み器であって、該取付ヘッド部は上方向に突出する壁面の内壁に螺刻して貯水容器の取り付けに供し、該管体の外周面に鍔部１４を一体に形成するとともに、内壁には、当止部を少なくとも１以上一体に形成して、一端が該当止部に当接し、かつ他端が該球体に当接する弾性体１８を内設し、該管体の他端は外周面に螺刻し、防水リング１６を介して該スリーブを螺着する。【選択図】図２
0003190804.tif 000002
【実用新案登録請求の範囲】
【請求項１】
中空で、かつ傾斜する管体の一端に取付ヘッド部を設け、他端に球体を内設したスリーブを設けてなるペット用水飲み器であって、
該取付ヘッド部は、上方向に突出する壁面の内壁に貯水容器を取り付けるためのねじ山を有し、
該管体の外周面に鍔部を一体に形成するとともに、内壁には、当止部を少なくとも１以上一体に形成して、一端が該当止部に当接し、かつ他端が該球体に当接する弾性体を内設し、該管体の他端は外周面にねじ山を有し、防水リングを介して該スリーブを螺着することを特徴とするペット用水飲み器。
【請求項２】
前記弾性体は、コイルばねであることを特徴とする請求項１に記載のペット用水飲み器。
【請求項３】
前記管体の内壁に形成する当止部は、リブ状であることを特徴とする請求項１に記載のペット用水飲み器。
【考案の詳細な説明】
【技術分野】
【０００１】
この考案は、犬や猫などのペットに水を飲ませるペット用水飲み器に関する。
【背景技術】
【０００２】
一般に、ペット用水飲み器は、装置をかごやおりに設けるか、壁面に取り付けるか、もしくは地面に立設し、ペットが舌で舐めると水が流れて供給される仕組みになっている。
【０００３】
図１に従来のペット用水飲み器を開示する。図面によれば、従来のペット用水飲み器１は、管体２と、取付ヘッド部３と、スリーブ４と、球体５とによってなる。
【０００４】
管体２は中空であって、傾斜して設けられ、水の流れる経路となるものであり、一端に取付ヘッド部３を設ける。取付ヘッド部３は上面を開口面とし、内壁に螺刻してなり、例えばペットボトルなどの貯水容器（図示しない）を螺着する。
【０００５】
また、管体２の他端に近接した位置には鍔部６を一体に形成するとともに、外周面に螺刻してねじ山７を形成し、防水リング８を介してスリーブ４を螺着する。スリーブ４は、内部に球体５を転動自在に設ける。
【０００６】
上述する従来のペット用水飲み器を使用する場合は、貯水容器（図示しない）に水を入れて取付ヘッド部３に取り付ける。水は貯水容器から管体２に流れるが、球体５が重力によって下方に移動してスリーブ４を閉鎖し、止水の作用を達する。この状態において、ペットがスリーブ４と球体５を舌で舐めると、球体５が押し圧され上方に移動し、水が管体２から流れてペットの飲用に供される。
【０００７】
しかしながら、例えば上述するペット用水飲み器１をペット用のかごやおりに設けた場合、常にペットが動き回り、かごやおりを揺するため、スリーブ４に設けた球体が振動を受け、正確に位置決めできなくなり、スリーブ４を完全に閉鎖することができなくなる。係る状況は水漏れを招く。また、水漏れすることで、例えば屋内であれば部屋の床を濡らし、屋外であっても地面の汚濁を容易に招く。しかも、貯水容器に水を満たしておいても、そのほとんどが流失するため、ペットの水分補給が不十分になる。係る状況が続けば、またはペットの飼い主が気付かなければ、延いてはペットの健康問題にまで発展する。
【考案の概要】
【考案が解決しようとする課題】
【０００８】
この考案は、外部からの力を受けても止水作用を有する球体が正確に位置決めされ、確実に水漏れを防ぐことのできるペット用水飲み器を提供することを課題とする。
【課題を解決するための手段】
【０００９】
そこで、本考案者は従来のペット用水飲み器に係る欠点に鑑み鋭意研究を重ねた結果、中空で、かつ傾斜して設ける管体の一端に取付ヘッド部を設け、他端に球体を内設したスリーブを設けてなるペット用水飲み器であって、該取付ヘッド部は上方向に突出する壁面の内壁に螺刻して貯水容器の取り付けに供し、該管体の外周面に鍔部を一体に形成するとともに、内壁には、当止部を少なくとも１以上一体に形成して、一端が該当止部に当接し、かつ他端が該球体に当接する弾性体を内設し、該管体の他端は外周面に螺刻し、防水リングを介して該スリーブを螺着してなるペット用水飲み器によって課題を解決できる点に着眼し、係る知見に基づいて本考案を完成させた。以下この考案について説明する。
【００１０】
請求項１に記載するペット用水飲み器は、中空で、かつ傾斜して設ける管体の一端に取付ヘッド部を設け、他端に球体を内設したスリーブを設けてなるペット用水飲み器であって、
該取付ヘッド部は上方向に突出する壁面の内壁に螺刻して貯水容器の取り付けに供し、
該管体の外周面に鍔部を一体に形成するとともに、内壁には、当止部を少なくとも１以上一体に形成して、一端が該当止部に当接し、かつ他端が該球体に当接する弾性体を内設し、該管体の他端は外周面に螺刻し、防水リングを介して該スリーブを螺着する。
【００１１】
請求項２に記載するペット用水飲み器は、請求項１における弾性体がコイルばねである。
【００１２】
請求項３に記載するペット用水飲み器は、請求項１における管体の内壁に形成する当止部がリブ状に形成される。
【考案の効果】
【００１３】
この考案によるペット用水飲み器は、従来の技術の欠点である水漏れの状況を効率よく、かつ確実に解消することができる。よって、使用する環境が水に濡れ、汚濁を招くという状況を改善し、実用的である。さらに、正確な残水量を容易に確認することができるので、ペットの健康状態を判断しやすくなり、ペットの健康維持に寄与できるという利点をも有する。
【図面の簡単な説明】
【００１４】
【図１】従来のペット用水飲み器を示した斜視図である。
【図２】この考案によるペット用水飲み器の分解図である。
【図３】図２に開示するペット用水飲み器の斜視図である。
【図４】図２に開示するペット用水飲み器の断面図である。
【図５】図２に開示するペット用水飲み器の局部断面図である。
【考案を実施するための形態】
【００１５】
この考案は、外部からの力を受けても止水作用を有する球体が正確に位置決めされ、確実に水漏れを防ぐことのできるペット用水飲み器を提供するものであって、中空で、かつ傾斜して設ける管体の一端に取付ヘッド部を設け、他端に球体を内設したスリーブを設けてなるペット用水飲み器において、該取付ヘッド部は上方向に突出する壁面の内壁に螺刻して貯水容器の取り付けに供し、該管体の外周面に鍔部を一体に形成するとともに、内壁には、当止部を少なくとも１以上一体に形成して、一端が該当止部に当接し、かつ他端が該球体に当接する弾性体を内設し、該管体の他端は外周面に螺刻し、防水リングを介して該スリーブを螺着してなる。係るペット用水飲み器の構造と特徴を説明するために、具体的な実施例を挙げ、図面を参照にして以下に詳述する。
【実施例】
【００１６】
図２から５に開示するように、この考案によるペット用水飲み器は、中空で、かつ傾斜して設ける管体１０の一端に取付ヘッド部１１を設け、他端に球体１３を内設したスリーブ１２を設けてなる。
【００１７】
取付ヘッド部１１は、例えば取付け板（図示しない）などに固定して、ペット用水飲み器を例えばペット用のかごやおりなど、もしくは壁面などの所定の場所に取り付ける。
【００１８】
また、取付ヘッド部１１は上方向に突出する壁面の内壁に螺刻してねじ山１１１を形成し、例えばペットボトルなどである貯水容器（図示しない）を着脱自在に取り付ける。
【００１９】
管体１０の外周面には鍔部１４を一体に形成する。鍔部１４はペット用水飲み器をペット用のかごやおり（図示しない）に取り付けた場合、該ペット用のかごやおりの壁面に当接する。
【００２０】
また、管体１０の他端は、外周面に螺刻してねじ山１５を形成し、防水リング１６を介してスリーブ１２を螺着する。スリーブ１２には球体１３を内設する。
【００２１】
さらに、図４に開示するように、管の内壁には、リブ状の当止部１７を少なくとも１以上一体に形成するとともに、一端が当止部１７に当接し、かつ他端が球体１３に当接する弾性体１８を内設する。弾性体１８はコイルばねであって、当止部１７と球体１３との間に介在して、付勢力によって球体１３を外方向に押し出す作用を有する。
【００２２】
上述する構造のペット用水飲み器は、好ましい水漏れ防止機能を有する。即ち、ペットが水を飲もうとする場合、球体１３を舌で舐めると、球体１３が上方に移動して弾性体１８が圧縮する。また、水が貯水容器（図示しない）から管体１０を経てスリーブ１２に至り、外部に流れてペットの飲水に供される。
【００２３】
ペットが球体１３を舐める動作を停止すると、球体１３は弾性体１８の付勢力により本来の位置に戻り、スリーブ１２を閉鎖する。
【００２４】
この考案によるペット用水飲み器は、弾性体１８の作用によって強制的に球体１３をしてスリーブ１２を閉鎖する。よって、従来の装置にみられる水漏れ現象を解決し、確実に防止することができる。よって、床を濡らしたり、地面の汚濁を招いたりすることがない。また、球体１３が確実にスリーブ１２を閉鎖するために、ペットがかごやおり内を動き回わり、またかごやおりを揺すっても影響を受けることなく、球体１３が正確に位置決めされる。したがって、貯水容器の水がペットの飲用に供するために減じることから、正確な残水量を容易に確認することができ、ここからペットの健康状態を判断することができるという利点をも有する。
【００２５】
以上はこの考案の好ましい実施の形態であって、この考案の実施の範囲を制限するものではない。よって、当業者の成し得る修正、変更などであって、この考案の精神の下においてなされ、この考案に対して均等の効果を有するものは、いずれもこの考案の実用新案登録請求の範囲に含まれるものとする。
【符号の説明】
【００２６】
１     ペット用水飲み器
１０   管体
１１   取付ヘッド部
１１１ ねじ山 
１２   スリーブ 
１３   球体
１４   鍔部 
１５   ねじ山
１６   防水リング
１７   当止部
１８   弾性体
２     管体
３     取付ヘッド部
４     スリーブ
５     球体
６     鍔部
７     ねじ山
８     防水リング
【図１】
0003190804.tif 000003
【図２】
0003190804.tif 000004
【図３】
0003190804.tif 000005
【図４】
0003190804.tif 000006
【図５】
0003190804.tif 000007